(57)【要約】【課題】  優れた保温性と透湿性を有し、また、横臥する身体に対して、十分な指圧効果を与える敷布団を提供する。【解決手段】  敷布団１は、上層と下層と、これらの上層と下層との間に間挿された３枚の繭玉シート３０、３０、３０とから構成され、この繭玉シート３０、３０、３０はポリエステル固綿などからなる芯材層３２と、この芯材層３２の表面に規則的に配置されて、縫い付けられた多数の繭玉３１とからなり、繭玉３１は桐の玉の表面を繭で被覆したものである。【選択図】        図１
2005319272.tif 000002
【特許請求の範囲】
【請求項１】
芯材層と、この芯材層の表面に取り付けられた繭玉とからなり、この繭玉が桐の玉と、これの表面を被覆する繭とからなるものである繭玉シート。
【請求項２】
桐の玉がラグビーボール状である請求項１記載の繭玉シート。
【請求項３】
繭玉が、半分に切断された桐の玉と、これの曲面を被覆する繭とからなるものである請求項１記載の繭玉シート。
【請求項４】
桐の玉が長軸に沿って半分に切断されたラグビーボール状である請求項２記載の繭玉シート。
【請求項５】
桐の玉に、この桐の玉を芯材層に取り付けるための紐を通すための孔が形成されている請求項１ないし４のいずれかに記載の繭玉シート。
【請求項６】
多数の繭玉が芯材層に規則的に配置され、繭玉の孔に紐が通され、この紐が前記芯材層に縫い付けられた請求項１ないし５のいずれかに記載の繭玉シート。
【請求項７】
芯材層がポリエステル固綿からなるものである請求項１ないし６のいずれかに記載の繭玉シート。
【請求項８】
請求項１ないし７のいずれかに記載の繭玉シートが上層と下層に挟まれた敷布団。
【発明の詳細な説明】
【技術分野】
【０００１】
本発明は、寝具の一つである敷布団に関するものである。
【背景技術】
【０００２】
従来の敷布団として、保温性と透湿性に優れたクッション材を綿などからなるカバーにより被覆したものがある。特開平１−１１３００６号公報には、布団などのクッション材として、天然の繭を利用したものが開示されている（例えば、特許文献１参照。）。このクッション材は、繭の内部に真綿、羽毛、糸屑、ビニールビーズなどの弾性材料を充填したものであり、この繭を布団カバー内に充填して、敷布団などとして使用するようになっている。
【０００３】
一般に、繭は、その主成分であるタンパク質に由来する優れた保温性と透湿性を有するため、敷布団などの寝具に好適である。また、この繭の内部に設けられた弾性材料により、敷布団に適した弾性力が得られる。さらに、このような繭を敷布団の内部に配置することにより、横臥する身体に対して、接触刺激圧を与えて指圧効果を発生させることができる。
【特許文献１】特開平１−１１３００６号公報
【発明の開示】
【発明が解決しようとする課題】
【０００４】
しかしながら、特許文献１にかかる敷布団にあっては、繭よりもその内部にある弾性材料が量的に支配的であるため、繭が有する保温性と透湿性は、弾性材料の性質により、その効果を敷布団において十分に発揮できないという問題があった。また、弾性材料の弾性力は、本来、敷布団に適した弾性力に設定されているため、例えば、敷布団に用いられた弾性材料の弾性力が、身体との接触面積に対して十分に高くない場合、横臥する身体に対する接触刺激圧が低く、指圧効果が発生しないという問題があった。
【０００５】
本発明は、上記従来技術の問題点に鑑み、優れた保温性と透湿性を有し、また、横臥する身体に対して、十分な指圧効果を与える敷布団を提供することを目的とする。
【課題を解決するための手段】
【０００６】
かかる課題を解決するため、
請求項１にかかる発明は、芯材層と、この芯材層の表面に取り付けられた繭玉とからなり、この繭玉が桐の玉と、これの表面を被覆する繭とからなるものである繭玉シートである。
【０００７】
請求項２にかかる発明は、桐の玉がラグビーボール状である請求項１記載の繭玉シートである。
【０００８】
請求項３にかかる発明は、繭玉が、半分に切断された桐の玉と、これの曲面を被覆する繭とからなるものである請求項１記載の繭玉シートである。
【０００９】
請求項４にかかる発明は、桐の玉が長軸に沿って半分に切断されたラグビーボール状である請求項２記載の繭玉シートである。
【００１０】
請求項５にかかる発明は、桐の玉に、この桐の玉を芯材層に取り付けるための紐を通すための孔が形成されている請求項１ないし４のいずれかに記載の繭玉シートである。
【００１１】
請求項６にかかる発明は、多数の繭玉が芯材層に規則的に配置され、繭玉の孔に紐が通され、この紐が前記芯材層に縫い付けられた請求項１ないし５のいずれかに記載の繭玉シートである。
【００１２】
請求項７にかかる発明は、芯材層がポリエステル固綿からなるものである請求項１ないし６のいずれかに記載の繭玉シートである。
【００１３】
請求項８にかかる発明は、請求項１ないし７のいずれかに記載の繭玉シートが上層と下層に挟まれた敷布団である。
【発明の効果】
【００１４】
請求項１記載の繭玉シートによれば、繭が有する優れた保温性と透湿性に、桐が有する低熱伝導率と恒湿作用が加わることにより、繭玉シートを暖かく、また快適な湿度に維持することができる。
【００１５】
請求項２記載の繭玉シートによれば、桐の玉の形状が丸みを帯びていて角がないため、横臥する身体に対して痛み、不快感を与えることを防ぐことができ、また、繭玉シート自身を傷付けたり、破いたりすることを防ぐことができる。
【００１６】
請求項３記載の繭玉シートによれば、繭玉シートに用いられる桐の玉と繭の量が半分で済むため、繭玉シートの重量が軽くなって取扱いが容易になる。また、生産コストを低くすることができる。
【００１７】
請求項４記載の繭玉シートによれば、桐の玉の形状が床面に対しては平面であるため、繭玉３１、３１、…に掛かる身体の圧力が、芯材層において分散される。従って、繭玉３１、３１、…が芯材層内に沈みことを防止することができる。
【００１８】
請求項５記載の繭玉シートによれば、桐の玉に形成された孔に紐を通し、この紐を芯材層に縫い付けることにより、繭玉を芯材層の表面に自由に取り付けることができる。
【００１９】
請求項６記載の繭玉シートによれば、弾性力が高い桐の玉を有する繭玉が規則的に配置されているため、横臥する身体に対して、十分な接触刺激圧を与えて指圧効果を発生させることができる。
【００２０】
請求項７記載の繭玉シートによれば、芯材層が剛直な性質を有しているため、繭玉が横臥する身体の重量により芯材層内に沈み込むことなく、身体を支えることができる。
【００２１】
請求項８記載の敷布団によれば、繭玉シートが身体、床に直接接しないため、この繭玉シートを保護しながら、優れた保温性、透湿性および指圧効果を有することができる。
【発明を実施するための最良の形態】
【００２２】
本発明にかかる敷布団の一実施形態を、図面に基づいて説明する。図１および２において、符号１は本発明の敷布団の一例を示す。この敷布団１は人体に接する上層１０と床に接する下層２０、また、これらの上層１０と下層２０の間に間挿された３枚の繭玉シート３０、３０、３０により構成される。
【００２３】
上層１０は、ポリエステル繊維などからなる袋体内に、羊毛綿などの中綿を充填したものである。この袋体には、ジグザグ状にキルティング加工が施されており、羊毛綿が上層１０内に均一に分散されるようになっている。この上層１０は、繭玉シート３０、３０、３０の上側に設けられているため、繭玉シート３０、３０、３０による硬質感を緩和するとともに、良好な肌触りを得ることが可能になる。一方、下層２０は、ポリエステル繊維などからなる袋体内に、ポリエステル繊維とポリアクリレート繊維などからなる吸湿性に優れた中綿を充填したものである。この下層２０は、繭玉シート３０、３０、３０の下側に設けられているため、身体から発散される水分を吸収し、上層１０および繭玉シート３０、３０、３０内の湿度を減少させる機能を有する。なお、上層１０は下層２０よりも厚く作製されている。
【００２４】
上層１０と下層２０の縦横辺部には、マチ１１が連続して設けられ、両者を全周に渡って結んでいる。このマチ１１の上下端と上層１０および下層２０とは縫い合わされており、ヘムが形成されている。また、マチ１１の片方の縦辺部とこの縦辺部と連続する両横辺部の一部には、ファスナー１２が取り付けられており、繭玉シート３０、３０、３０の出入口となっている。一方、上層１０と下層２０の間には、その空間を３等分するように、横方向に沿って仕切り１３、１３が２ヵ所に設けられている。従って、３枚の繭玉シート３０、３０、３０をこれらの層１０、２０の間に間挿することが可能になる。
【００２５】
図３に示すように、繭玉シート３０は、繭玉３１、３１、…と芯材層３２、そして全体を被覆するハニカムネット３３から構成されている。芯材層３２は、ポリエステル固綿をポリエステル繊維などからなる袋体により被覆したものである。この芯材層３２の片面には、多数の繭玉３１、３１、…が規則正しく配置されている。
【００２６】
図３に示した例においては、芯材層３２の片面に、長手方向に対して３４個、短手方向に対して１８個、合計１８３６個の繭玉３１、３１、…が配置されている。この繭玉３１、３１、…は、芯材層３２の短手方向に対して隣接しながら並んでおり、一方、芯材層３２の長手方向に対しては、隣接する３個の繭玉３１、３１、３１からなる組が、各組の間に２０〜２５ｍｍの間隔を設けながら、合計１０組並んでいる。また、芯材層３２の長手方向の両端部においては、隣接する２個の繭玉３１、３１からなる組が、３個からなる組と同様の間隔を設けながら、１組ずつ配置されている。芯材層３２の長手方向に設けられたこのような隙間は、繭玉シート３０内における空気の通り道となり、通気性を高める機能を有するとともに、敷布団１と身体との接触面を細かく分散することにより、効果的な接触刺激圧を発生させる機能を有する。
【００２７】
図４に示すように、繭玉３１、３１、…は、桐の玉３４とその表面を被覆する２枚の繭３５、３５から構成されている。この繭３５、３５は蚕の天然繭を殺菌したものであり、長手方向に沿って半分に切り分けられた後、桐の玉３４の表面に接着されている。一方、桐の玉３４は、繭３５、３５がその表面を被覆し易いように、長径が３０〜３５ｍｍ、短径が１５〜２０ｍｍのラグビーボール状に加工されたものであり、その両端部は平らに切り取られている。なお、桐の玉３４の表面を被覆するものとして、天然繭を用いたが、本発明はこれに限られることなく、例えば、天然繭の代わりに人工繭を用いてもよい。また、桐の玉３４の形状はラグビーボール状に限らず、球状や楕円球状など、全体に丸みを帯びた形状であれば、本発明に適用可能である。
【００２８】
桐の玉３４の内部には、長手方向と短手方向の両方に円筒状の孔が形成され、桐の玉３４の中心部において、両者は直交している。この孔の中に紐３６を通して、多数の繭玉３１、３１、…を数珠状に連結する。また、この孔は、繭玉シート３０内における空気の通り道となり、通気性を高める機能も有する。なお、この孔は、図４において、桐の玉３４の長手方向と短手方向に正確に形成されているが、多少の位置ずれがあってもかまわない。
【００２９】
図５に示すように、紐３６は芯材層３２の片面の外延部および内部において、適宜縫い付けられている。従って、多数の繭玉３１、３１、…が芯材層３２の片面に固定されることになる。繭玉３１、３１、…の短手方向に通された紐３６の縫い目３７、３７、…は、その短手方向に対して７５〜８５ｍｍの間隔を設けながら並んでおり、隣接する３個の繭玉３１、３１、３１はこの間隔の範囲において、わずかに移動することができる。一方、この縫い目３７、３７、…は繭玉３１、３１、…の長手方向に対して、３５〜４０ｍｍの間隔を有する。繭玉３１、３１、…の長径は３５〜４０ｍｍであるため、繭玉３１、３１、…はその長手方向に対して密に詰まっており、ほとんど移動しない。
【００３０】
図６に示すように、繭玉３１、３１、…は、長軸に沿って半分に切断されたラグビーボール状の形状を有する桐の玉３４と、その曲面に接着された繭３５とから構成されていてもよい。この例の繭玉３１、３１、…は、その切断面を介して芯材層３２の片面に接触して配置されている。また、繭玉３１、３１、…の配置状態は、上述のものと同様である。
【００３１】
繭玉３１、３１、…の内部には、切断面に対して垂直方向に延びる円筒状の孔が２つ形成されている。これら孔の内、一方の孔の中には、芯材層３２の繭玉３１、３１、…が配置されていない面（以下、裏面という。）側から芯材層３２を介して、紐３６が通される。また、繭玉３１の曲面側に延びた紐３６は、他方の孔の中に通されて、芯材層３２の裏面側まで延びる。このような縫い付けにより、この例の繭玉３１は、芯材層３２の片面に固定される。
【００３２】
繭玉３１の長手方向に対して隣接する他の繭玉３１に関しても、同様に、芯材層３２の裏面側に延びている紐３６によって、芯材層３２の片面に固定される。また、紐３６の両端部は、芯材槽３２の片面において玉止めされる。従って、繭玉３１の長手方向に対して並んでいる繭玉３１、３１、…の列は、図７に示すように、１本の紐３６により固定される。なお、この孔は、繭玉シート３０内における空気の通り道となり、通気性を高める機能も有する。
【００３３】
以上のような構成を有する敷布団１の特性を以下に説明する。天然繭は、前記の通り、その主成分であるタンパク質に由来する優れた保温性と透湿性を有する。一方、桐は低熱伝導率と恒湿作用を有することが一般に知られている。この熱伝導率が低いと、身体から発生した熱が敷布団１から外部へ放熱されにくくなる。従って、繭玉シート３０、３０、３０を有する敷布団１は、寝床内を常に暖かく維持することができる。また、桐は外部の湿度が高い際には吸湿し、外部の湿度が低い際には放湿する恒湿作用を有する。従って、繭玉シート３０、３０、３０を有する敷布団１は、寝床内の湿度を常に約５０％に保ち、快適な状態を維持することができる。すなわち、天然繭と桐の玉３４を組み合わせることにより、敷布団１において、天然繭が有する優れた性質を一層高めることが可能になる。
【００３４】
さらに、弾性力が高い桐の玉３４を有する繭玉シート３０、３０、３０は、横臥する身体に対して、十分な接触刺激圧を与えることができる。この際、接触刺激圧は柔軟性を有する上層１０を通して身体に伝わるため、不快な硬質感を取り除き、必要な指圧効果のみを発生させることができる。また、繭玉シート３０、３０、３０を有する敷布団１は、横臥した身体を多数の点で支えているため、体圧が分散し、負担が少ない寝姿勢が保持される。
【００３５】
さらに、半分に切断された繭玉３１、３１、…を有する繭玉シート３０、３０、３０にあっては、その製造に用いられる桐の玉３４と繭３５の量が半分で済むため、繭玉シートの重量が軽くなって取扱いが容易になる。また、生産コストを低くすることができる。また、桐の玉３４の形状が床面に対しては平面であるため、繭玉３１、３１、…に掛かる身体の圧力は、芯材層３２において分散される。従って、繭玉３１、３１、…が芯材層３２内に沈みことを防止することができる。
【００３６】
なお、上記実施形態において、繭玉シート３０、３０、３０を敷布団１に用いた例を示したが、他の用途として、枕、座布団、ソファーの座面または背面などに用いても、本発明の効果を得ることができる。また、図４において、繭玉シート３０の片面に固定された繭玉３１、３１、・・・の配置状態を図示したが、この配置状態に限らず、各繭玉３１、３１、…間の隙間を確保しながら、多数の繭玉３１、３１、…を配置できる状態であれば、本発明の敷布団１に適用可能である。さらに、繭玉３１、３１、…は芯材層の片面に限らず、両面に取り付けてもよい。また、繭玉シート３０を挟む上層１０と下層２０は、一層ずつのみに限らず、性質が異なる複数の層を積層したものであってもよい。
【図面の簡単な説明】
【００３７】
【図１】本発明の実施形態にかかる敷布団の一例を示す斜視図である。
【図２】本発明の実施形態にかかる敷布団の一例を示す断面図である。
【図３】本発明の実施形態にかかる繭玉シートの一例を示す斜視図である。
【図４】本発明の実施形態にかかる繭玉シートの片面に固定された、繭玉の取り付け状態の一例を示す斜視図である。
【図５】本発明の実施形態にかかる繭玉シートの片面に固定された、繭玉の配置状態の一例を示す平面図である。
【図６】本発明の実施形態にかかる繭玉シートの片面に固定された、半分に切断された繭玉の取り付け状態の一例を示す斜視図である。
【図７】本発明の実施形態にかかる繭玉シートの片面に固定された、半分に切断された繭玉の配置状態の一例を示す平面図である。
【符号の説明】
【００３８】
１  敷布団
１０  上層
２０  下層
３０  繭玉シート
３１  繭玉  
３２  芯材層
３４  桐の玉  
３５  繭  
３６  紐
【図１】
2005319272.tif 000003
【図２】
2005319272.tif 000004
【図３】
2005319272.tif 000005
【図４】
2005319272.tif 000006
【図５】
2005319272.tif 000007
【図６】
2005319272.tif 000008
【図７】
2005319272.tif 000009